(57)【特許請求の範囲】
【請求項１】
送電鉄塔を構成する四方の主柱材の上端部に夫々固着され、主柱材の上端から上方へ突出する４つの取付け部材と；これら４つの取付け部材間を水平に矩形に結合して前記送電鉄塔の上端部を補強する４つの枠材と；前記送電線鉄塔の腕金延出側の何れか１つの前記枠材の中央部に基端が起伏自在に枢支され、先端が前記送電鉄塔の腕金側へ延出するブームと；一端がウインチへ係止され、前記送電鉄塔を経て前記ブームに掛け回された吊り上げワイヤと；前記１つの枠材の両端部付近に夫々基端が起伏自在に枢支され、上端が結合部材に枢支された一対の前脚と；前記１つの枠材と平行に対向する他の枠材の両端部付近に夫々基端が起伏自在に枢支され、上端が前記結合部材に枢支された一対の後脚と；前記結合部材と前記ブームの先端部との間に掛け回され、前記送電鉄塔を経て一端が起伏用ウインチへ係止されたブームの起伏調整用ワイヤとを具備し；前記取付け部材は、前記主柱材の上端部側面に沿ってボルトにて固着される縦方向に伸びる接続鋼材を備えると共に、前記枠材の端部をボルトにて固着するために接続鋼材の上部に設けられた枠材支持部を備え；前記送電鉄塔の頂部にて、腕金部材を吊るようにしたことを特徴とする送電鉄塔の腕金の取替え作業用デリック装置。
【請求項２】
前記前脚及び後脚の基端及び先端が、夫々前記１つの枠材、他の枠材又は結合部材に旋回及び起伏自在に枢着され、前記後脚が軸方向に伸縮自在に構成され、前記後脚を伸縮させることにより前記結合部材の高さ位置を調整し、装置の組立て作業の便に供するようにしたことを特徴とする請求項１に記載の送電鉄塔の腕金の取替え作業用デリック装置。
【請求項３】
前記１つの枠材が、中央に前記ブームの基端を起伏自在に枢支するブーム枢支部材を備えると共に、両側に前記前脚の基端を起伏及び旋回自在に枢支する前脚枢支部材を備え、前記他の枠材が、両側に前記後脚の基端を起伏及び旋回自在に枢支する後脚枢支部材を備えていることを特徴とする請求項２に記載の送電鉄塔の腕金の取替え作業用デリック装置。
【請求項４】
前記１つの枠材とこれに対向する前記他の枠材とが同一構造で、夫々中央に前記ブームの基端を起伏自在に枢支するブーム枢支部材を備えると共に、両側に前記前脚及び後脚の基端を起伏及び旋回自在に枢支する前脚、後脚の兼用枢支部材を備え、前記ブームと前記前脚及び後脚を交互に付け替えて、両側の腕金の取替え作業に対応可能に構成されていることを特徴とする請求項２に記載の送電鉄塔の腕金の取替え作業用デリック装置。
【請求項５】
送電鉄塔を構成する四方の主柱材の各一対間に渡る水平主材を備えた最上部腕金を片側ずつ取替える工事の方法であって；前記四方の主柱材の上端部の各々に、取付け部材の縦方向に伸びる接続鋼材をボルトにて固着する工程と；取付け部材の枠材支持部に枠材の端部をボルトにて固着することにより、４つの取付け部材間に４つの枠材を水平に架設して矩形の支持枠を形成する工程と；片側の腕金側に位置する１つの前記枠材上にブームを枢支して取替え作業用デリック装置を形成する工程と；前記支持枠を形成した後に、最上部腕金の水平主材を中間で切断して最上部腕金の片側半分を前記主柱材から取り外す工程と；取り外した最上部腕金の片側半分を前記作業用デリック装置で地上へ吊り降ろす工程と；新たな最上部腕金の片側半分を前記作業用デリック装置で地上から吊り上げる工程と；新たな最上部腕金の片側半分を前記主柱材に固着する工程と；他の片側の腕金側に位置する他の前記枠材上に前記ブームを移してこれにブームを枢支し、作業用デリック装置を形成する工程と；最上部腕金の他の片側半分を前記主柱材から取り外す工程と；取り外した最上部腕金の他の片側半分を前記作業用デリック装置で地上へ吊り降ろす工程と；新たな最上部腕金の他の片側半分を前記作業用デリック装置で地上から吊り上げる工程と；新たな最上部腕金の他の片側半分を前記主柱材に固着すると共に、先に取り付けられた最上部腕金の片側半分と結合する工程と；最上部腕金の取替え完了後、前記作業用デリック装置を分解して送電鉄塔から降ろす工程とを含むことを特徴とする送電鉄塔の最上部腕金の取替え工法。
【発明の詳細な説明】
【０００１】
【発明の属する技術分野】
本発明は、送電鉄塔の両側に張出した腕金を構造の異なる他の新たな腕金に取り替えるための工事に用いられるデリック装置とこれを用いた腕金の取替え工法に関し、特にこの内、最上部腕金の取替え作業に用いて有効なデリック装置とこのデリック装置を用いた腕金の取替え工法に関するものである。
【０００２】
【従来の技術】
送電鉄塔の両側に張出した腕金を構造の異なる他の新たな腕金に取り替えるための工事（例えば送電線の重量のみを支持する懸垂鉄塔を送電線の重量の他にその張力をも支持する耐張鉄塔に変更する工事）は、片側を活線状態に維持したまま他の片側を取り替える方法により、片側ずつ行っている。そして、腕金の取り外しは、上部の腕金に取り付けた滑車にワイヤを掛けて、取り外した下部の腕金の部材を吊り降ろす方法によって下方のものから順次上方のものへと作業を進め、新たな腕金の取付けは、反対に上部の腕金から始め、取り付けた新たな上部の腕金の滑車に掛けたワイヤで下部の新たな腕金の部材を吊り上げて作業を進める工法が採用されている。ところが最上部の腕金の取替え作業に当たっては、その新旧部材の吊り上げ、吊り降ろしのための滑車を支持する場所がないので、鉄塔の塔体内にデリックのブームを支持し、ブームの上部を塔体内から鉄塔の上方へ延出させ、その先端に掛けたワイヤで部材の吊り上げ、吊り降ろしを行っている。
【０００３】
【発明が解決しようとする課題】
上記従来の方法による場合には、鉄塔の塔体内にデリックのブームが支持されるので、ブームの動きが大きく制限され、操作性が悪い難点がある。またブームの延長途上に複数の支線ワイヤを結びこれを塔体に複数箇所結び付けてブームを支える必要があるが、この作業が多くの手数を要するばかりでなく、ときに十分な本数の支線を確保できない事態も生じるという問題点がある。従って本発明は、ブームを支線で支えるような作業を必要とせず、送電鉄塔の腕金の取替え作業を効率よく円滑に、しかも安全に行うことができるデリック装置と、このデリック装置を用いた最上部腕金の取替え工法を提供しようとするものである。
【０００４】
【課題を解決するための手段】
この出願に係る発明においては、送電鉄塔３１を構成する四方の主柱材３４の上端部に、夫々その上端から上方へ突出するように取付け部材２を固着する。取付け部材２には、主柱材３４の上端部側面に沿ってボルトにて固着される縦方向に伸びる接続鋼材１１を設けると共に、枠材３ａ，３ｂ，３ｃ，３ｄの端部をボルトにて固着するための枠材支持部を接続鋼材１１の上部に設ける。これら４つの取付け部材２間に４つの枠材３ａ，３ｂ，３ｃ，３ｄを水平に架設して矩形に結合し、送電鉄 塔３１の上端部を補強する。取り替えようとする腕金３２ａの延出側の１つの枠材３ａ（３ｃ）の中央部にブーム４の基端を起伏自在に枢支し、その先端を取り替えようとする腕金の側へ延出させる。送電鉄塔３１を経てブーム４に掛け回した吊り上げワイヤ１０をウインチで操作して資材を吊るようにする。ブーム４を 枢支した枠材３ａ（３ｃ）の両端部付近には、一対の前脚５の基端を夫々起伏自在に枢支し、上端を結合部材７に枢支する。この枠材３ａ（３ｃ）と平行に対向 する他の枠材３ｃ（３ａ）の両端部付近には、一対の後脚６の基端を夫々起伏自在に枢支し、上端を結合部材７に枢支する。結合部材７とブーム４の先端部との 間に、ブーム４の起伏調整用ワイヤ９を掛け回し、その端を起伏用ウインチへ係止する。ブームを支線で鉄塔へ支えるような作業は必要としない。このように送 電鉄塔の頂部に設けられた堅牢なデリック装置１で、取り外された既設の腕金部材を吊り降ろし、新設の腕金部材を吊り上げて腕金の取替え作業を行うようにし たので、ブームの操作性がよく資材の吊り上げ、吊り降ろし作業を円滑かつ安全に行い、また矩形に結合された枠材で送電鉄塔３１の頂部を補強し、安全を確保する。
【００１０】
【発明の実施の形態】
図面を参照して本発明の一実施形態を説明する。図１は送電鉄塔の腕金の取替え作業用デリック装置及びこれを用いた腕金の取替え工法を示す概略的説明図、図２は送電鉄塔の最上部腕金部分の概略的平面図、図３は送電鉄塔の最上部腕金部分の概略的拡大平面図、図４は送電鉄塔の最上部腕金部分の概略的拡大正面図、図５はデリック装置の概略的正面図、図６はデリック装置の概略的平面図、図７はデリック装置の概略的側面図、図８は支持枠及び鉄塔最上部の平面図、図９は支持枠及び鉄塔最上部の正面図、図１０は取付け部材と枠材の斜視図である。
【００１１】
図１には、送電鉄塔３１の両側に張出した腕金３２ａ〜３２ｄを構造の異なる他の新たな腕金に取り替えるための工事の概要を示す。腕金３２ａ〜３２ｄの取替えは、片側を活線状態に維持したまま片側ずつ交互に行われる。腕金３２ａ〜３２ｄの取り外しは、直上の腕金に取り付けた滑車にワイヤを掛け、取り外した下部の腕金の部材をこのワイヤで吊り降ろす方法により、下方のものから順次上方のものへと進められる。取付けはこれと逆に滑車を用いて上部から下部へと進められる。図１は、最上部の腕金３２ａの取替え作業を示しており、下方の３つの腕金３２ｂ〜３２ｄは既に取り外されている。最上部の腕金３２ａは最後に取り外され、続いて新たな腕金が取付けられる。最上部の腕金３２ａの取替え作業に当たっては、その上方に滑車を支持する腕金がないので、送電鉄塔Ｔの頂部に取り付けられたデリック装置１を用いて部材の吊り上げ、吊り降ろしが行われる。
【００１２】
最上部の腕金３２ａは、概略図２ないし図４に示すように鉄塔３１上に取り付けられている。即ち、腕金３２ａは、その上部の水平主材３３の中間部が鉄塔３１の四方の主柱材３４（３４ａ，３４ｂ，３４ｃ，３４ｄ）に固着されている。主柱材３４ａ，３４ｂ間、３４ｃ，３４ｄ間には水平梁３５が架設されている。従って、水平主材３３は、鉄塔３１の一対の腹材として機能している。水平主材３３は、主柱材３４ａ，３４ｃ間、３４ｂ，３４ｄ間に連続したアングル鋼材で構成されている。従って、腕金３２ａを片側ずつ鉄塔３１から取り外す場合には、水平主材３３を主柱材３４ａ，３４ｃ間、３４ｂ，３４ｄ間で切断する必要がある。ところが、水平主材３３を中間で切断すると鉄塔３１が弱体化し、腕金３２ａを支持するのに十分な強度がなくなる。そこで、水平主材３３を中間で切断する前に、主柱材３４ａ，３４ｃ間、３４ｂ，３４ｄ間に補強梁を渡すことが行われる。
【００１３】
本発明は、このような鉄塔３１の最上部の腕金３２ａの取替え作業に適用して特に有効なデリック装置に係るもので、図１、図５ないし図７に示すように、鉄塔３１の最上部の主柱材３４上に取り付けられる。即ち、デリック装置１は、主柱材３４の上端部に取り付けられる４つの取付け部材２を備え、その上に組み立てられている。取付け部材２上には、矩形の支持枠３が支持され、その上にブーム４、これを支える各一対の前脚５、後脚６の基端が枢支されている。前脚５と後脚６の上端は結合部材７に枢支され、結合部材７とブーム４の先端部との間に滑車８を介してブームの起伏調整用ワイヤ９が掛け回されている。ワイヤ９は、鉄塔３１を経て一端が図示しない地上の起伏用ウインチへ係止されている。ブーム４には、吊り上げワイヤ１０が掛け回され、その一端は、鉄塔３１を経て図示しない地上のウインチへ係止されている。なお、ウインチは何れも鉄塔上に取り付けてもよい。
【００１４】
取付け部材２は、図８，９，１０に示すように、アングル鋼材から成る主柱材３４の上端部外側面に沿わせることができるように縦方向に伸びるアングル鋼材から成る接続鋼材１１を備えている。接続鋼材１１は、主柱材３４の上端部に予め形成されているボルト挿通孔に対応するボルト挿通孔を有し、ボルト１２にて主柱材３４に固着される。接続鋼材１１の上部には、支持枠３を構成する枠材３ａ，３ｂ，３ｃ，３ｄを固着するための枠材支持部１３が設けられている。枠材支持部１３は、枠材３ａ，３ｂ，３ｃ，３ｄの下面を受ける水平板１３ａを有する。水平板１３ａの端部には、接続鋼材１１の一辺に平行に、ほぼ矩形の垂直板１３ｂの下端縁が垂直に溶着されている。垂直板１３ｂと接続鋼材１１の一辺との間にボルト１４を挿通して枠材３ａ，３ｂ，３ｃ，３ｄの端部を固定する。垂直板１３ｂと接続鋼材１１の縁部間には両者間を連結する連結板１３ｃが溶着されている。
【００１５】
支持枠３は、枠材３ａ，３ｂ，３ｃ，３ｄを、取付け部材２を介して水平に矩形に結合し、さらに対向一対の枠材３ａ，３ｃの中央間を連結梁３ｅで連結して構成される。相対向する各一対の枠材３ａ，３ｃと枠材３ｂ，３ｄとは夫々同一構造である。即ち、腕金３２ａが延出する側に対向する主柱材３４ａ，３４ｂ間及び主柱材３４ｃ，３４ｄ間に架設される枠材３ａ，３ｃは、角筒型鋼材から成り、両端部及び中央部にボルト１４，１５用の水平方向の挿通孔を有すると共に、両端部及び中央部の上部に枢支部材１６，１７，１８を備えている。枢支部材１６，１８は水平回転自在である。主柱材３４ｂ，３４ｃ間及び主柱材３４ａ，３４ｄ間に架設される枠材３ｂ，３ｄは、アングル鋼材の両端に、ボルト１４用の水平方向のボルト挿通孔を有する矩形の端板を溶着して成る。枠材３ｅは、同じくアングル鋼材の両端に、ボルト１５用の水平方向のボルト挿通孔を有する矩形の端板を溶着して成る。そして、枠材３ａ，３ｃの両端部が、取付け部材２の水平板１３ａ上に置かれ、枠材３ｂ，３ｄの両端の端板が取付け部材２の垂直板１３ｂに突き合わされ、合致したボルト挿通孔にボルト１４を貫通させて支持枠３の４隅が取付け部材２に固着される。また、連結梁３ｅの両端の端板が、枠材３ａ，３ｃの中間の内側面に突き合わされ、合致したボルト挿通孔にボルト１５を貫通させて枠材３ａ，３ｃの中間部間が結合される。
前脚５と後脚６の基端は、枠材３ａ，３ｃ上の枢支部材１６，１８に枢支され、ブーム４の基端は、枠材３ａ又は枠材３ｃ上の枢支部材１７に枢支される。後脚６は、軸線方向に伸縮自在に嵌め合わされた大径及び小径の２つの鋼管部材６ａ，６ｂから成り、相互間にピンを貫通させて所望の長さに調整される。
【００１６】
送電鉄塔の最上部の腕金３２ａを取替える工事は片側ずつ行われる。まず、四方の主柱材３４ａ，３４ｂ，３４ｃ，３４ｄの上端部の各々に取付け部材２を固着する。次いで、この４つの取付け部材２間に４つの枠材３ａ，３ｂ，３ｃ，３ｄを水平に架設して矩形の支持枠３を形成する。片側の腕金側に位置する枠材３ａ上の枢支部材１６，１８に一対の前脚５を枢支し、反対側の枠材３ｃ上の両側の枢支部材１６，１８に一対の後脚６を枢支する。そして、前脚５と後脚６の上端部を結合部材７に枢支する。ブーム４は、塔体の内側を引き上げられてくるので、その引上げ作業の障害にならないように、当初後脚６を縮小させて、結合部材７を支持枠３の中央に配置しておく。ブーム４は、比較的広く開放された一対の前脚５，５間を引き上げられる。そして、ブーム４を枠材３ａ上の中央の枢支部材１７に枢支し、前脚５、後脚６を所定位置に配置してワイヤ９，１０を掛け取替え作業用デリック装置１を形成する。ブーム４は鉄塔に支線で支える必要がない。
【００１７】
腕金３２ａの水平主材３３を鉄塔主柱材３４ａ，３４ｃ間、及び３４ｂ，３４ｄ間の中間で溶断する作業は、支持枠３を形成して鉄塔を補強した後に行われる。そして、腕金３２ａの片側半分を主柱材３４から取り外す。取り外した腕金３２ａの片側半分は、作業用デリック装置１で地上へ吊り降ろされ、新たな最上部腕金を構成するの片側半分の資材が同デリック装置１で地上から吊り上げられる。新たな腕金の片側半分を主柱材３４に固着したら、他方の枠材３ｃ上にブーム４を移すと共に、前脚５、後脚６を付け替えて、作業用デリック装置１のブーム４を腕金３２ａの他の片側半分側へ張り出させる。そして、同様に腕金３２ａの他の片側半分を取り替えて主柱材３４ａ，３４ｃ間、及び３４ｂ，３４ｄ間において相互間をボルトで結合する。腕金３２ａの取替え作業が完了したら、デリック装置１を分解して送電鉄塔から降ろす。
【００１８】
なお、デリック装置１は、下方の腕金３２ｂ，３２ｃ，３２ｄの取替え工事にも使用することができる。この場合に、吊り上げ荷重の一部を上位の腕金に支持させるように、適宜吊り上げワイヤの掛け方を変更することができる。
【００１９】
【発明の効果】
以上のように、本発明においては、送電鉄塔３１を構成する四方の主柱材３２の上端部に、夫々その上端から上方へ突出するように取付け部材２を固着し、これら４つの取付け部材２間に４つの枠材３ａ，３ｂ，３ｃ，３ｄを水平に架設して矩形に結合し、送電鉄塔３１の上端部を補強する。取り替えようとする腕金３２ａの延出側の１つの枠材３ａの中央部にブーム４の基端を起伏自在に枢支し、その先端を取り替えようとする腕金の側へ延出させる。吊り上げワイヤを送電鉄塔３１を経てブーム４に掛け回し、ウインチで操作して資材を吊るようにする。ブーム４を枢支した枠材３ａの両端部付近には、一対の前脚５の基端を夫々起伏自在に枢支し、上端を結合部材に枢支する。この枠材３ａと平行に対向する他の枠材３ｃの両端部付近には、一対の後脚６の基端を夫々起伏自在に枢支し、上端を結合部材７に枢支する。結合部材７とブーム４の先端部との間に、ブームの起伏調整用ワイヤ９を掛け回し、その端を起伏用ウインチへ係止する。このように送電鉄塔３１の頂部に設けられたデリック装置１で、取り外された既設の最上部腕金３２ａの部材を吊り降ろし、新設の最上部腕金部材を吊り上げて腕金の取替え作業を行うようにしたので、ブーム４を支線で鉄塔へ支える面倒な作業を行わずに、安全なデリック装置を容易に組み立てることができ、またブーム４の操作性がよく資材の吊り上げ、吊り降ろし作業を円滑に行うことができるし、矩形に結合された枠材３ａ，３ｂ，３ｃ，３ｄで送電鉄塔３１の頂部を補強し、最上部腕金３２ａの片側ずつの取り外しに伴う送電鉄塔３１の頂部の弱体化をも回避することができる。
【図面の簡単な説明】
【図１】送電鉄塔の腕金の取替え作業用デリック装置及びこれを用いた腕金の取替え工法を示す概略的説明図である。
【図２】送電鉄塔の最上部腕金部分の概略的平面図である。
【図３】送電鉄塔の最上部腕金部分の概略的拡大平面図である。
【図４】送電鉄塔の最上部腕金部分の概略的拡大正面図である。
【図５】デリック装置の概略的正面図である。
【図６】デリック装置の概略的平面図である。
【図７】デリック装置の概略的側面図である。
【図８】支持枠及び鉄塔最上部の平面図である。
【図９】支持枠及び鉄塔最上部の正面図である。
【図１０】取付け部材と枠材の斜視図である。
【符号の説明】
１    デリック装置
２    取付け部材
３    支持枠
３ａ  枠材
３ｂ  枠材
３ｃ  枠材
３ｄ  枠材
４    ブーム
５    前脚
６    後脚
７    結合部材
９    起伏調整用ワイヤ
１０  吊り上げワイヤ
１１  取付け鋼材
１２  ボルト
１３  枠材支持部
１４  ボルト
１５  ボルト
１６  枢支部材
１７  枢支部材
１８  枢支部材
３１  送電鉄塔
３２ａ  最上部腕金
３４  主柱材
【図１】
0003805033.tif 000002
【図２】
0003805033.tif 000003
【図３】
0003805033.tif 000004
【図４】
0003805033.tif 000005
【図５】
0003805033.tif 000006
【図６】
0003805033.tif 000007
【図７】
0003805033.tif 000008
【図８】
0003805033.tif 000009
【図９】
0003805033.tif 000010
【図１０】
0003805033.tif 000011